(57)【要約】【課題】サラウンド放送番組を視聴すること。【解決手段】サラウンド放送番組を構成している信号のうち、少なくとも映像信号を放送している地上デジタルテレビ放送を受像可能な受像機１２０と、サラウンド放送番組の音声信号を放送しているワンセグ放送を受信可能な端末１１０とを備え、端末１１０は、受信したワンセグ放送によって放送されているサラウンド放送番組の音声信号を復号する復号部１１１と、復号部１１１が復号して得られたサラウンド音声信号をダウンミックスするダウンミックス部１１２と、ダウンミックス部１１２がダウンミックスして得られたステレオ音声信号を出力するステレオ音声信号出力部１１３とを有する。【選択図】図２
2011055411.tif 000002
【特許請求の範囲】
【請求項１】
サラウンド放送番組を視聴するためのサラウンド放送番組視聴システムであって、
前記サラウンド放送番組を構成している信号のうち、少なくとも映像信号を放送している地上デジタルテレビ放送を受像可能な受像機と、前記サラウンド放送番組の音声信号を放送しているワンセグ放送を受信可能な端末とを備え、
前記端末は、
前記受信したワンセグ放送によって放送されている前記サラウンド放送番組の音声信号を復号する復号部と、
前記復号部が復号して得られたサラウンド音声信号をダウンミックスするダウンミックス部と、
前記ダウンミックス部がダウンミックスして得られたステレオ音声信号を出力するステレオ音声信号出力部と
を有するサラウンド放送番組視聴システム。
【請求項２】
前記端末は、
前記ダウンミックス部がダウンミックスして得られたステレオ音声信号を順次記憶するステレオ音声信号記憶部
を更に有し、
前記ステレオ音声信号出力部は、前記ステレオ音声信号記憶部が記憶しているステレオ音声信号を順次読み出して出力する請求項１に記載のサラウンド放送番組視聴システム。
【請求項３】
前記端末は、
前記ステレオ音声信号出力部がステレオ音声信号を出力するタイミングについて、現在出力しているタイミングと比較して、ずらして出力すべき時間を指定する旨の入力を受け付ける時間指定入力受付部
を更に有し、
前記ステレオ音声信号出力部は、前記時間指定入力受付部が受け付けた入力によって指定された時間、前記ステレオ信号の読み出しを停止する請求項２に記載のサラウンド放送番組視聴システム。
【請求項４】
前記ワンセグ放送は、前記地上デジタルテレビ放送よりも先行して放送されている請求項１乃至３のいずれかに記載のサラウンド放送番組視聴システム。
【請求項５】
サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、前記サラウンド放送番組の音声信号を放送しているワンセグ放送を受信可能な端末であって、
前記受信したワンセグ放送によって放送されている前記サラウンド放送番組の音声信号を復号する復号部と、
前記復号部が復号して得られたサラウンド音声信号をダウンミックスするダウンミックス部と、
前記ダウンミックス部がダウンミックスして得られたステレオ音声信号を出力するステレオ音声信号出力部と
を備える端末。
【請求項６】
サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、前記サラウンド放送番組の音声信号を放送しているワンセグ放送を受信可能な端末におけるサラウンド放送番組の音声出力方法であって、
前記受信したワンセグ放送によって放送されている前記サラウンド放送番組の音声信号を復号する復号ステップと、
前記復号ステップにおいて復号されて得られたサラウンド音声信号をダウンミックスするダウンミックスステップと、
前記ダウンミックスステップにおいてダウンミックスされて得られたステレオ音声信号を出力するステレオ音声信号出力ステップと
を備えるサラウンド放送番組の音声出力方法。
【請求項７】
サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、前記サラウンド放送番組の音声信号を放送しているワンセグ放送を受信可能な端末におけるサラウンド放送番組の音声出力プログラムであって、
前記端末を、
前記受信したワンセグ放送によって放送されている前記サラウンド放送番組の音声信号を復号する復号部、
前記復号部が復号して得られたサラウンド音声信号をダウンミックスするダウンミックス部、
前記ダウンミックス部がダウンミックスして得られたステレオ音声信号を出力するステレオ音声信号出力部
として機能させるサラウンド放送番組の音声出力プログラム。
【発明の詳細な説明】
【技術分野】
【０００１】
本発明は、サラウンド放送番組を視聴するためのサラウンド放送番組視聴システム、端末、サラウンド放送番組の音声出力方法、及びサラウンド放送番組の音声出力プログラムに関する。
【背景技術】
【０００２】
地上デジタルテレビ放送には、標準画質とハイビジョン画質の番組があるが、ハイビジョン番組を中心に５．１ｃｈサラウンド音声の番組が充実しつつある。地上デジタルテレビ放送の５．１ｃｈサラウンド音声方式には、ＭＰＥＧ−２  ＡＡＣ（Ａｄｖａｎｃｅｄ  Ａｕｄｉｏ  Ｃｏｄｉｎｇ）圧縮方式が用いられており、前方３本、後方２本にサブウーファーを加えた６本のスピーカやＡＶ（Ａｕｄｉｏ  Ｖｉｓｕａｌ）アンプを用いたオーディオシステムによって音声出力するのが基本となる（例えば、特許文献１参照。）。
【先行技術文献】
【特許文献】
【０００３】
【特許文献１】特開２００８−０６１１３７号公報
【発明の概要】
【発明が解決しようとする課題】
【０００４】
しかしながら、上記のようなオーディオシステムを構築するには、コストがかかるだけでなく、各スピーカを設置するのに比較的広い設置スペースが要求される。このようなオーディオシステムに代わる技術としては、サラウンド音声信号を復号する機能を有するイヤーセットやヘッドセット等が提唱されているが、サラウンド音声信号をダウンミックスすることができるＡＶアンプが必要になる等、課題も多く、未だ実用化されていない。
【０００５】
そこで本発明は、上記課題を解決することができるサラウンド放送番組視聴システム、端末、サラウンド放送番組の音声出力方法、及びサラウンド放送番組の音声出力プログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明のサラウンド放送番組視聴システムにおいては、サラウンド放送番組を視聴するためのサラウンド放送番組視聴システムであって、サラウンド放送番組を構成している信号のうち、少なくとも映像信号を放送している地上デジタルテレビ放送を受像可能な受像機と、サラウンド放送番組の音声信号を放送しているワンセグ放送を受信可能な端末とを備え、端末は、受信したワンセグ放送によって放送されているサラウンド放送番組の音声信号を復号する復号部と、復号部が復号して得られたサラウンド音声信号をダウンミックスするダウンミックス部と、ダウンミックス部がダウンミックスして得られたステレオ音声信号を出力するステレオ音声信号出力部とを有する。
【０００７】
また、本発明の端末においては、サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、サラウンド放送番組の音声信号を放送しているワンセグ放送を受信可能な端末であって、受信したワンセグ放送によって放送されているサラウンド放送番組の音声信号を復号する復号部と、復号部が復号して得られたサラウンド音声信号をダウンミックスするダウンミックス部と、ダウンミックス部がダウンミックスして得られたステレオ音声信号を出力するステレオ音声信号出力部とを備える。
【０００８】
また、本発明のサラウンド放送番組の音声出力方法においては、サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、サラウンド放送番組の音声信号を放送しているワンセグ放送を受信可能な端末におけるサラウンド放送番組の音声出力方法であって、受信したワンセグ放送によって放送されているサラウンド放送番組の音声信号を復号する復号ステップと、復号ステップにおいて復号されて得られたサラウンド音声信号をダウンミックスするダウンミックスステップと、ダウンミックスステップにおいてダウンミックスされて得られたステレオ音声信号を出力するステレオ音声信号出力ステップとを備える。
【０００９】
また、本発明のサラウンド放送番組の音声出力プログラムにおいては、サラウンド放送番組を視聴するために、当該サラウンド放送番組を構成している信号のうち、少なくとも映像信号を放送している地上デジタルテレビ放送を受像可能な受像機を備えたサラウンド放送番組視聴システムにおいて、サラウンド放送番組の音声信号を放送しているワンセグ放送を受信可能な端末におけるサラウンド放送番組の音声出力プログラムであって、端末を、受信したワンセグ放送によって放送されているサラウンド放送番組の音声信号を復号する復号部、復号部が復号して得られたサラウンド音声信号をダウンミックスするダウンミックス部、ダウンミックス部がダウンミックスして得られたステレオ音声信号を出力するステレオ音声信号出力部として機能させる。
【発明の効果】
【００１０】
本発明によれば、地上デジタルテレビ放送によって放送されているサラウンド放送番組の音声信号をワンセグ放送によって放送し、ワンセグ放送を受信することができる携帯端末等によって、サラウンド音声信号を復号し、ダウンミックスして出力することにより、簡易にサラウンド放送番組を視聴することができるシステムを提供することができる。
【図面の簡単な説明】
【００１１】
【図１】本発明の一実施形態に係るサラウンド放送番組視聴システム１００の概要を示す図である。
【図２】本実施形態に係る携帯電話１１０の機能構成の一例を示す図である。
【図３】本実施形態に係るサラウンド放送番組視聴システム１００の携帯電話１１０における処理の流れの一例を示す図である。
【発明を実施するための形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本発明の一実施形態に係るサラウンド放送番組視聴システム１００の概要を示す図である。
サラウンド放送番組視聴システム１００は、地上デジタルテレビ放送によって放送されているサラウンド放送番組を視聴するためのシステムである。なお、本実施形態においては、地上デジタルテレビ放送によってサラウンド放送番組が放送されており、その放送番組のサラウンド音声のみがワンセグ放送によって放送されていることを想定している。なお、地上デジタルテレビ放送によって放送されているサラウンド放送番組は、映像だけの放送であっても構わない。また、ワンセグ放送によって放送されているサラウンド音声は、地上デジタルテレビ放送によって放送されているサラウンド放送番組よりも、１秒〜数秒だけ先行して放送されているものとする。サラウンド放送番組視聴システム１００は、携帯電話１１０、及びテレビ１２０を備える。
【００１４】
携帯電話１１０は、ワンセグ放送を受信して、その放送内容であるサラウンド音声をステレオ音声にダウンミックスして音声出力する端末である。携帯電話１１０は、アンテナ１１６、スピーカ１１７、ヘッドホン端子１１８、及び操作ボタン１１９を有する。アンテナ１１６は、ワンセグ放送を受信するためのものである。スピーカ１１７は、ステレオ音声を出力するためのものである。ヘッドホン端子１１８は、ヘッドホン１３０を接続するための端子である。操作ボタン１１６は、ユーザから所定の入力を受け付けるためのユーザインターフェースである。なお、アンテナ１１６は、本体内に内蔵されていてもよい。また、操作ボタン１１９は、タッチスクリーンに表示されるソフトウェアキーボード等であっても構わない。
【００１５】
テレビ１２０は、地上デジタルテレビ放送の放送内容であるサラウンド放送番組を出力する装置である。テレビ１２０は、地上デジタルテレビ放送を受信するためのアンテナ１２１とアンテナケーブル１２２を介して接続されている。アンテナ１２１は、室外に設置されていても室内に設置されていても構わない。そして、テレビ１２０は、アンテナ１２１によって受信された地上デジタルテレビ放送の放送内容であるサラウンド放送番組を出力する。また、テレビ１２０は、サラウンド放送番組を出力するにあたり、少なくとも映像を出力することができればよく、音声を出力することができなくてもよい。
【００１６】
このようなサラウンド放送番組視聴システム１００を利用するユーザは、テレビ１２０を利用して地上デジタルテレビ放送によって放送されているサラウンド放送番組の映像を出力する。このとき、ユーザは、テレビ１２０から音声を出力しなくても構わない。そして、ユーザは、携帯電話１１０を利用してワンセグ放送によって放送されているサラウンド放送番組のサラウンド音声を受信し、ダウンミックスされたステレオ音声を出力する。このとき、ユーザは、携帯電話１１０のスピーカ１１７を利用して音声出力してもよいし、ヘッドホン端子１１８にヘッドホン１３０を接続し、ヘッドホン１３０を利用して音声出力してもよい。そして、ユーザは、テレビ１２０が映像出力している映像を見ながら、携帯電話１１０が音声出力している音声が映像と同調するように、操作ボタン１１９を操作することによって、音声が出力されるタイミングをコントロールする。
【００１７】
図２は、本実施形態に係る携帯電話１１０の機能構成の一例を示す図である。
携帯電話１１０は、復号部１１１、ダウンミックス部１１２、ステレオ音声信号記憶部１１３、時間指定入力受付部１１４、及びステレオ音声信号出力部１１５を有する。
復号部１１１は、音声信号を復号する処理部である。復号部１１１は、ワンセグ放送の音声信号をアンテナ１１６から受け取って復号し、復号して得られたサラウンド音声信号をダウンミックス部１１２に送る。
【００１８】
ダウンミックス部１１２は、音声信号をダウンミックスする処理部である。ダウンミックス部１１２は、サラウンド音声信号を復号部１１１から受け取ってダウンミックスし、ダウンミックスして得られたステレオ音声信号をステレオ音声信号記憶部１１３に順次記憶する。ステレオ音声信号記憶部１１３は、ステレオ音声信号を記憶するバッファである。
【００１９】
時間指定入力受付部１１４は、ユーザによって指定される入力を受け付ける処理部である。時間指定入力受付部１１４は、ステレオ音声を出力するタイミングについて、現在出力しているタイミングと比較して、ずらして出力すべき時間を指定する旨のユーザからの入力を、操作ボタン１１９を介して受け付ける。そして、時間指定入力受付部１１４は、ユーザからの入力によって指定された時間を示す信号をステレオ音声信号出力部１１５に送る。
【００２０】
ステレオ音声信号出力部１１５は、音声信号を出力する処理部である。ステレオ音声信号出力部１１５は、ステレオ音声信号記憶部１１３が記憶しているステレオ音声信号を順次読み出して、スピーカ１１７、あるいはヘッドホン端子１１８に接続されているヘッドホン１３０に出力する。また、ステレオ音声信号出力部１１５は、ユーザからの入力によって指定された時間を示す信号を時間指定入力受付部１１４から受け取ると、指定された時間、ステレオ音声信号の読み出しを停止する。
【００２１】
図３は、本実施形態に係るサラウンド放送番組視聴システム１００の携帯電話１１０における処理の流れの一例を示す図である。
なお、サラウンド放送番組視聴システム１００を利用するユーザは、地上デジタルテレビ放送によって放送されているサラウンド放送番組の映像を、テレビ１２０に出力しているものとする。そして、ユーザは、携帯電話１１０によって音声出力を開始するにあたり、携帯電話１１０においてワンセグ放送を視聴するためのソフトウェアを起動し、テレビ１２０によって視聴しているサラウンド放送番組用のサラウンド音声のみを放送しているチャンネルを選択する。
【００２２】
このようにしてチャンネルが選択されると、携帯電話１１０の復号部１１１は、アンテナ１１６によって受信される音声信号をサラウンド音声信号に復号する（Ｓ１０１）。具体的には、復号部１１１は、音声信号を符号化信号の形式からオーディオ信号の形式へと復号する。オーディオ信号の形式としては、時間軸上の信号形式に限定されず、周波数軸上の信号形式でもよいし、時間と周波数の両軸によって表現される形式等でもよい。
【００２３】
そして、ダウンミックス部１１２は、復号して得られたサラウンド音声信号をステレオ音声信号にダウンミックスする（Ｓ１０２）。例えば、サラウンド音声信号のダウンミックス方法としては、Ｌｔ／Ｒｔと呼ばれるサラウンド成分をドルビーサラウンドデコードできるようダウンミックスする方法を採用する。この方法によれば、ダウンミックス部１１２は、まず、Ｌｓ／Ｒｓのサラウンド音声信号をモノラル化する。その後、ダウンミックス部１１２は、左右チャンネルに位相を１８０度ずらしてミックスする。そして、ダウンミックス部１１２は、生成したステレオ音声信号を、ステレオ音声信号記憶部１１３に順次記憶する。
【００２４】
そして、ステレオ音声出力部１１５は、ステレオ音声信号記憶部１１３が記憶しているステレオ音声信号を順次読み出して、スピーカ１１７、あるいはヘッドホン端子１１８に接続されているヘッドホン１３０に出力することになる。その際、ユーザは、テレビ１２０に出力されている映像を見ながら、携帯電話１１０のスピーカ１１７、あるいはヘッドホン端子１１８から出力されているステレオ音声が同調するように、ステレオ音声を出力するタイミングをずらすよう指示する旨の入力を、携帯電話１１０の操作ボタン１１９を介して行う。なお、ワンセグ放送が地上デジタルテレビ放送よりも１秒〜数秒間、先行して放送されていることを前提にしているので、ユーザが何ら出力タイミングの指示を行っていない状態において、携帯電話１１０から出力されている音声は、テレビ１２０から出力されている映像よりも早いタイミングで出力されることとなる。したがって、ユーザは、携帯電話１１０からの音声の出力をどの程度遅らせるかを指示することとなる。これらタイミング調整の時間の指定方法は、例えば、携帯電話１１０の所定の操作ボタン１１９が１回押下される度に０．１秒ずつタイミングがずれるように指定されたり、携帯電話１１０の１０キーの操作ボタン１１９を利用してタイミング調整の時間が直接入力されることによって指定されたりする方法が考えられる。
【００２５】
このように、ユーザが操作ボタン１１９によるタイミング調整の操作を行うことによって、指定されたタイミング調整の時間を示す入力を時間指定入力受付部１１４が受け付けると（Ｓ１０３：Ｙｅｓ）、ステレオ音声信号出力部１１５は、指定された時間の間、ステレオ音声信号記憶部１１３が記憶しているステレオ音声信号の読み出しを停止する（Ｓ１０４）。そして、指定された時間が経過した後、ステレオ音声信号出力部１１５は、ステレオ音声信号記憶部１１３が記憶しているステレオ音声信号を順次読み出して、スピーカ１１７、あるいはヘッドホン端子１１８に接続されているヘッドホン１３０に出力する（Ｓ１０５）。なお、ユーザは、携帯電話１１０から出力される音声出力のタイミングを調整するにあたり、音声出力のタイミングを遅くしすぎた場合、再度早めるよう調整することもできる。その場合、ステレオ音声出力部１１５は、読み出したステレオ音声信号から指定された時間分の音声信号成分を出力せずに破棄し、その続きのステレオ音声信号を出力するようにする。
【００２６】
一方、時間指定入力受付部１１４が何ら入力を受け付けていない場合（Ｓ１０３：Ｎｏ）、ステレオ音声信号出力部１１５は、時間をずらすことなく、ステレオ音声信号記憶部１１３が記憶しているステレオ音声信号を順次読み出して、スピーカ１１７、あるいはヘッドホン端子１１８に接続されているヘッドホン１３０に出力する（Ｓ１０５）。
【００２７】
このようにして、サラウンド放送番組視聴システム１００においては、地上デジタル放送によって放送されているサラウンド放送番組の映像と、ワンセグ放送によって放送されているサラウンド放送番組のサラウンド音声とを同調させて視聴することができる。
【００２８】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００２９】
１００  サラウンド放送番組視聴システム
１１０  携帯電話
１１１  復号部
１１２  ダウンミックス部
１１３  ステレオ音声信号記憶部
１１４  時間指定入力受付部
１１５  ステレオ音声信号出力部
１１６  アンテナ
１１７  スピーカ
１１８  ヘッドホン端子
１１９  操作ボタン
１２０  テレビ
１２１  アンテナ
１２２  アンテナケーブル
１３０  ヘッドホン
【図１】
2011055411.tif 000003
【図２】
2011055411.tif 000004
【図３】
2011055411.tif 000005